(57)【要約】【課題】本発明は１枚の導光部材で異なる表示範囲を異なる発光色により表示する表示装置を提供すること。【解決手段】本発明の表示装置は、１枚の導光板の背面側端面における一部を照射して、対応する正面側端面の一部を発光させる第１の光源と、導光板の側面側端面に近接して設けられ、背面側端面におけるローレット加工面により乱反射されて正面側端面を一様に発光させ第２の光源と、第２の光源に並設され、背面側端面におけるローレット加工面により乱反射されて正面側端面を一様に発光させ、前記第１の光源の輝度より低い輝度を有して前記第１の光源と同時に発光する第３の光源を有している。【選択図】図４
2006243183.tif 000002
【特許請求の範囲】
【請求項１】
光透過性の材質により実質的に矩形状の平板状に形成され、少なくとも正面側端面と背面側端面と側面側端面とを有し、ローレット加工が施された前記背面側端面が前記正面側端面に対して斜行している１枚の導光板、
前記導光板の前記背面側端面に近接して設けられて前記背面側端面の一部を照射し、前記背面側端面の照射部分に対応する前記正面側端面の一部分を発光させる第１の光源、
前記導光板の前記側面側端面に近接して設けられ、前記背面側端面におけるローレット加工面により乱反射されて前記正面側端面を一様に発光させる第２の光源、
前記第２の光源に並設され、前記背面側端面におけるローレット加工面により乱反射されて前記正面側端面を一様に発光させ、前記第１の光源の輝度より低い輝度を有する第３の光源、及び
前記第１の光源と前記第３の光源との同時発光動作と、前記第２の光源のみの発光動作とを選択制御する制御部、
を具備する表示装置。
【請求項２】
前記導光板の前記正面側端面における前記第１の光源による照射領域に粗面加工が施されている請求項１に記載の表示装置。
【請求項３】
前記第１の光源の光軸と前記第２の光源の光軸が直交するよう構成された請求項１に記載の表示装置。
【請求項４】
前記第１の光源の発光色が前記第３の光源の発光色と実質的に同じであり、前記第２の光源の発光色と異なるよう構成された請求項１に記載の表示装置。
【請求項５】
前記導光板と前記第１の光源と前記第２の光源と前記第３の光源とを所定位置に収納する保持ホルダと、前記保持ホルダに係着されて前記導光板を固定する押さえホルダとをさらに有する請求項１に記載の表示装置。
【請求項６】
請求項１乃至５のいずれか一項の表示装置を有し、
前記表示装置が複数の操作スイッチを有する操作部に近接して設けられ、各操作スイッチの機能を導光板からの光により発光色及び発光領域を変更して表示するよう構成された電子電気機器。
【発明の詳細な説明】
【技術分野】
【０００１】
本発明は、電子電気機器等に用いられる表示装置、特に音響機器等において機器操作、機器状態、操作部の機能等を説明する文字や記号を表示する表示装置に関する。
【背景技術】
【０００２】
最近の電子電気機器、特に音響機器においては各種の機能を有する多機能化した状況にある。このような音響機器においては、特に、機器操作、機器状態及び操作部の機能等を表示する表示装置が複雑化する傾向にある。したがって、このような表示装置の分野においては、使用者にとって見やすく容易に認識できる表示機能を持つユニバーサルデザインの製品を提供することが今後の重要な課題である。
【０００３】
このような状況において、機器操作、機器状態、操作部の機能等を説明する文字や記号等の表示部分を照明して、明るく表示する表示装置が音響機器において提供されている。また、操作部の機能に応じて表示部分の発光色を変えることにより、使い易さの向上を図った音響機器も提供されている。このような音響機器に用いられる表示装置としては、特許文献１に開示された照明装置がある。特許文献１の照明装置は、透明な導光部材の斜行した背面の中央に凹部を形成し、この凹部内に光源を配置する構成である。また、この導光部材の前面においては、その中央にＶ字状の切欠き部を形成し、その切欠き部以外には凹凸形状のローレット部が形成されている。このように形成された特許文献１の照明装置は、導光部材の前面に文字板を配置して、光源からの光が導光部材を通って広範囲に拡散され、文字板を照明するよう構成されている。
【特許文献１】実開昭６１−２０６２１２号公報
【発明の開示】
【発明が解決しようとする課題】
【０００４】
上記のように構成された従来の照明装置である表示装置においては、１つの光源と１つの導光部材により構成されており、１つの発光色により導光部材が一律に文字板等を照明する構成である。したがって、発光する表示範囲は導光部材に規制されており、文字板等を部分的に異なる輝度で照明するためには、複数の導光部材とそれらに対応する複数の光源とを設けて光源を切換える必要があった。このように、従来の表示装置においては、文字板等における異なる表示範囲を照明する場合、複数の導光部材を配設して、それぞれの導光部材に対応する位置に光源を設けねばならず、コストアップを招き、機器構成上の制約も阻害されるという問題があった。本発明は、上記のような問題を解決して、照明対象物である文字板等において異なる表示範囲を確実に照明する構成を簡単な機構で達成することが課題である。
【０００５】
本発明は上記課題を解決するものであり、１枚の導光部材で異なる表示範囲を異なる輝度若しくは異なる発光色により表示する表示装置を提供することを目的とする。
【課題を解決するための手段】
【０００６】
上記目的を達成するために、本発明の表示装置は、請求項１に記載したように、
光透過性の材質により実質的に矩形状の平板状に形成され、少なくとも正面側端面と背面側端面と側面側端面とを有し、ローレット加工が施された前記背面側端面が前記正面側端面に対して斜行している１枚の導光板、
前記導光板の前記背面側端面に近接して設けられて前記背面側端面の一部を照射し、前記背面側端面の照射部分に対応する前記正面側端面の一部分を発光させる第１の光源、
前記導光板の前記側面側端面に近接して設けられ、前記背面側端面におけるローレット加工面により乱反射されて前記正面側端面を一様に発光させる第２の光源、
前記第２の光源に並設され、前記背面側端面におけるローレット加工面により乱反射されて前記正面側端面を一様に発光させ、前記第１の光源の輝度より低い輝度を有する第３の光源、及び
前記第１の光源と前記第３の光源との同時発光動作と、前記第２の光源のみの発光動作とを選択制御する制御部、を具備する。
このように構成された表示装置は、１枚の導光部材である導光板により異なる表示範囲を異なる輝度で表示することが可能となる。ここで、ローレット加工とはギザギザ面を形成する加工であり、断面形状において略直角の頂角を有する凹凸形状の面に加工することである。光源とは、例えば発光ダイオードである。
【０００７】
本発明の表示装置は、請求項２に記載したように、請求項１の前記導光板の前記正面側端面における前記第１の光源による照射領域に粗面加工が施されている。このように構成された表示装置は、前記第１の光源からの光により導光板の正面側端面における特定の領域のみが確実に発光する。
【０００８】
本発明の表示装置は、請求項３に記載したように、請求項１の前記第１の光源の光軸と前記第２の光源の光軸が直交するよう構成されている。このように構成された表示装置は、１枚の導光板において異なる表示範囲を異なる輝度で確実に表示することができる。
【０００９】
本発明の表示装置は、請求項４に記載したように、請求項１の前記第１の光源の発光色が前記第３の光源の発光色と実質的に同じであり、前記第２の光源の発光色と異なるよう構成されている。このように構成された表示装置は、１枚の導光板において異なる表示範囲を異なる発光色で表示することができる。
【００１０】
本発明の表示装置は、請求項５に記載したように、請求項１の前記導光板と前記第１の光源と前記第２の光源と前記第３の光源とを所定位置に収納する保持ホルダと、前記保持ホルダに係着されて前記導光板を固定する押さえホルダとをさらに有する。このように構成された表示装置は、高精度の組み立てが容易となる。
【００１１】
本発明の電子電気機器は、請求項６に記載したように、請求項１乃至５のいずれか一項の表示装置を有し、
前記表示装置が複数の操作スイッチを有する操作部に近接して設けられ、各操作スイッチの機能を導光板からの光により発光色及び発光領域を変更して表示するよう構成されている。このように構成された電子電気機器は、１枚の導光板において異なる表示範囲を異なる輝度と異なる発光色で表示することができる。
【発明の効果】
【００１２】
本発明によれば、１枚の導光板により異なる表示範囲を異なる輝度若しくは異なる発光色で確実に表示することが可能な表示装置を提供することができる。
本発明の表示装置は、表示部の特定部位のみを特定の色で発光させて、使用者に対する注意を確実に促すことができるとともに、簡単な構成で機器のデザイン上の可能性を飛躍的に増大させることが可能となる。本発明に係る電子電気機器は、本発明の表示装置を用いているため優れた表示機能を有する小型の装置となる。
【発明を実施するための最良の形態】
【００１３】
以下、本発明に係る表示装置の好適な実施の形態として、ＣＤ、ＤＶＤ等のディスク状記録媒体（以下単にディスクと略称する。）が装着されるよう構成されたディスク装置に用いた表示装置について、添付の図面を参照しつつ説明する。
【実施例１】
【００１４】
図１は本発明に係る実施例１のディスク装置を示す外観斜視図である。図２は実施例１のディスク装置の開閉扉３を開いた状態を示す斜視図である。
図１及び図２に示すように、実施例１のディスク装置は、ディスクを装置の正面である前面に縦型に装着するディスク装置である。実施例１のディスク装置を構成するキャビネット２の前面には、開閉扉３と操作部６と表示パネル７が設けられている。キャビネット２の背面側は機器カバー８により装置内部の各機器が覆われており、キャビネット２の前面における開閉扉３の両側には飾り板８ａを設けている。
【００１５】
図２に示すように、開閉扉３が開いた状態において、ディスク１が装着されて記録及び／又は再生するためのディスク駆動機構、例えばターンテーブル９、光ピックアップ１０等が表出するよう構成されている。この開閉扉３が開いた状態において、開閉扉３を構成するスライド部５が回動部４に重なっており、開閉扉３は小さく収納された状態である。開閉扉３の回動部４とキャビネット２内の扉駆動機構とは開閉アーム１１等により連結されており、開閉扉３は所定の開閉動作を行うよう構成されている。
【００１６】
実施例１のディスク装置の前面上部には、複数の押しボタンスイッチ１２ａ，１２ｂ，１２ｃ、１２ｄ、１２ｅ、１２ｆを有する操作部６が設けられている。この操作部６において使用者が当該ディスク装置に対して記録及び／又は再生動作等の所望の動作を指令するよう構成されている。表示パネル７は、操作部６の各押しボタンスイッチの機能、及び当該ディスク装置の動作状態や装着されたディスクの内容が表示されている。
【００１７】
図１及び図２において、表示パネル７には、この表示パネル７を透過して、複数の機能表示部１３ａ，１３ｂ，１３ｃ，１３ｄ，１３ｅ，１３ｆと、該ディスク装置の動作状態や装着されたディスクの内容を示す内容表示部１４が、表示されて視認可能となっている。機能表示部１３ａ，１３ｂ，１３ｃ，１３ｄ，１３ｅ，１３ｆは、操作部６における対応する押しボタンスイッチ１２ａ，１２ｂ，１２ｃ、１２ｄ、１２ｅ、１２ｆのそれぞれの機能を文字や記号により示している。例えば、機能表示部１３ａには電源のオンオフ動作を示す文字と待機動作状態を示す記号が表示されている。機能表示部１３ｂには停止指令とイジェクト指令の各記号が表示されている。機能表示部１３ｃには次の頭出しまでの巻き戻し指令と早送り指令の記号が表示されており、機能表示部１３ｄには音量のプラスとマイナスの記号が表示されている。さらに、機能表示部１３ｅには周波数の同調指令や周波数変更指令を示す記号が表示されており、機能表示部１３ｆにはディスクの再生とポーズの指令を示す記号が表示されている。
【００１８】
内容表示部１４は液晶表示体（ＬＣＤ）で構成されており、当該ディスク装置の動作状態や装着されたディスク１の再生内容等を文字により表示するよう構成されている。
【００１９】
以下、実施例１のディスク装置に用いられている表示装置について説明する。図３は実施例１のディスク装置における表示パネル７の背面側に設けられた表示装置を操作部６とともに分解して示した斜視図である。図４は図３に示した表示装置の分解斜視図である。図５は表示装置における導光板等を上方から見た平面図である。
【００２０】
図３に示すように、表示パネル７の背面側には表示板１６、キャビネット２のキャビネットフロント部１７、液晶表示体（ＬＣＤ）２３、及び導光板１８や３つの発光ダイオード２０，２１，２２等よりなる照明部が設けられている。表示板１６には複数の印刷による印刷記号切抜き部１６ａ，１６ｂ，１６ｃ，１６ｄ，１６ｅ，１６ｆ、及び液晶表示用開口１６ｇが形成されている。印刷記号切抜き部１６ａ，１６ｂ，１６ｃ，１６ｄ，１６ｅ，１６ｆは、機能表示部１３ａ，１３ｂ，１３ｃ，１３ｄ，１３ｅ，１３ｆに対応するものであり、押しボタンスイッチ１２ａ，１２ｂ，１２ｃ，１２ｄ，１２ｅ，１２ｆのそれぞれの機能を示す文字や記号が切り抜かれている。液晶表示用開口１６ｇは内容表示部１４に対応しており、液晶表示体２３による表示部分を表示パネル７を介して表出させている。表示板１６の背面側にあるキャビネット２のキャビネットフロント部１７においては、機能表示部１３ａ，１３ｂ，１３ｃ，１３ｄ，１３ｅ，１３ｆに対応する位置に複数の開口１７ａ，１７ｂ，１７ｃ，１７ｄ，１７ｅ，１７ｆ，１７ｇが形成されている。ただし、キャビネットフロント部１７においては、機能表示部１３Ｃに対応して２つの開口１７ｃ，１７ｄが形成されている。これは、実施例１のディスク装置において、機能表示部１３ｃの巻き戻し指令の記号と早送り指令の記号とを個別に表示するためである。また、キャビネットフロント部１７において、大きな開口１７ｈは内容表示部１４に対応しており、液晶表示体２３による表示部分を表出させている。このキャビネットフロント部１７の下側には、操作部６が設けられており、複数の押しボタンスイッチ１２ａ，１２ｂ，１２ｃ，１２ｄ，１２ｅ，１２ｆが配設されている。
【００２１】
キャビネットフロント部１７の背面側には、液晶表示体２３及び導光板１８や３つの発光ダイオード２０，２１，２２等よりなる照明部が配設されている。液晶表示体２３及び照明部の構成を図４に分解斜視図で示す。
図４に示すように、液晶で構成された液晶表示体２３の下側に設けられた照明部は、導光板１８や３つの発光ダイオード２０，２１，２２を保持するため、プリント配線基板２５上の前面側に取り付けられた保持ホルダ２６と、この保持ホルダ２６に保持された導光板１８や３つの発光ダイオード２０，２１，２２を覆う押さえホルダ１９等により構成されている。
【００２２】
保持ホルダ２６は爪係合によりプリント配線基板２５に固定されており、白色の成形品により形成されている。この保持ホルダ２６の３つの凹部２８，２９，３０にはそれぞれ発光ダイオード２０，２１，２２がリブにより位置決めされて取付けられており、取付けられて各端子に電気的に接続されている。第１の発光ダイオード２０は保持ホルダ２６の正面左側端部（当該ディスク装置を正面から見た左側端部）の第１の凹部２８に光軸を正面側に向けて配設されている。ここで、光軸とは、発光ダイオードからの拡散光における実質的な中心軸をいう。したがって、第１の発光ダイオード２０の光軸はキャビネットフロント部１７の開口１７ａを通り、表示板１６の印刷記号切抜き部１６ａを通っている。
【００２３】
第２の発光ダイオード２１及び第３の発光ダイオード２２は、保持ホルダ２６の右側端部（当該ディスク装置を正面から見た右側端部）に形成した第２の凹部２９と第３の凹部３０に光軸が正面と平行になるよう並設されている。したがって、第２の発光ダイオード２１及び第３の発光ダイオード２２の各光軸は、第１の発光ダイオード２０の光軸と直交している。第２の発光ダイオード２１は導光板１８の右側側面１８ｄにおける奥行き方向の長さの略半分の長さの位置にその光軸が配置されている。第３の発光ダイオード２２は第２の発光ダイオード２１の背面側に並設されている。
【００２４】
上記のように３つの発光ダイオード２０，２１，２２が設けられた保持ホルダ２６には複数の立壁リブ２６ａが背面側に立設されており、これらの立壁リブ２６ａに沿うように導光板１８が配置され、その上部から白色成形品の押さえホルダ１９が取付けられている。導光板１８と３つの発光ダイオード２０，２１，２２を保持ホルダ２６に固定するために、押さえホルダ１９が保持ホルダ２６に対してスライド挿入して取り付けられている。このとき、保持ホルダ２６に形成した３カ所のガイド部２６ｂに、押さえホルダ１９に形成した３カ所の端縁部１９ａが嵌合されるよう構成されている。そして、保持ホルダ２６の係合爪２６ｃと押さえホルダ１９の孔１９ｂが係合される。このように、押さえホルダ１９に形成された孔１９ｂが保持ホルダ２６の係合爪２６ｃに係合して、押さえホルダ１９は保持ホルダ２６に確実に固着され、導光板１８は所定位置に配置される。
その後、液晶表示体２３を保持する液晶表示体（ＬＣＤ）ホルダ２４の爪２４ａがプリント配線基板２５上の孔２５ａと係合されて、液晶表示体ホルダ２４とプリント配線基板２５は一体化する。このとき、液晶表示体２３の接続端子２３ａである足は保持ホルダ２６のガイド孔２６ｄを通してプリント配線基板２５に形成された孔に挿入され、プリント配線基板２５の裏側で半田付け固定される。
【００２５】
上記のようにプリント配線基板２５上には液晶表示体ホルダ２４とともに照明部を構成する保持ホルダ２６が一体的に設けられている。保持ホルダ２６に固定されている導光板１８は、光透過性の材質により実質的に矩形状の平板状に形成されている。また、導光板１８は、図４に示すように、右側が太く左側に行くほど細くなる略三角形状を有している。この導光板１８の背面１８ｂはギザギザ面である凹凸面となるようローレット加工が施されている。このように導光板１８の背面１８ｂには一様にローレット加工が施されているため、第２の発光ダイオード２１又は第３の発光ダイオード２２からの光が背面１８ｂにおいて乱反射して前面１８ｃから一様に放射される。このため、第２の発光ダイオード２１又は第３の発光ダイオード２２により、導光板１８の前面１８ｃが一様に発光し、その光が表示板１６の各印刷記号切抜き部１６ａ，１６ｂ，１６ｃ，１６ｄ，１６ｅ，１６ｆを通過して表示パネル７に所望の文字や記号が表示される。
【００２６】
実施例１のディスク装置においては、第１の発光ダイオード２０は赤色の発光色であり、第２の発光ダイオード２１が青色の発光色であり、第３の発光ダイオード２２が赤色の発光色である。第１の発光ダイオード２０の輝度は第２の発光ダイオード２１の輝度と実質的に同じである。また、第３の発光ダイオード２２の輝度は第１の発光ダイオード２０及び第２の発光ダイオード２１の各輝度より低く設定されている。
図４に示すように、導光板１８の前面１８ｃにおける前面左側端部１８ａは凹凸面となる粗面、いわゆる梨地面となるような粗面加工が施されている。なお、前面１８ｃにおける前面左側端部１８ａ以外は鏡面仕上げが施されている。前面左側端部１８ａは、導光板１８の背面側に配置されている第１の発光ダイオード２０により照射される領域である。
【００２７】
図５は照明部２７において導光板１８が保持ホルダ２６に固定されている状態を示す平面図である。図５に示すように、導光板１８の前面左側端部１８ａの背面側に第１の発光ダイオード２０が配設されている。第１の発光ダイオード２０が保持されている保持ホルダ２６は、白色で成形されて、第１の発光ダイオード２０の前方部分２８ａが放射状に広がっており、第１の発光ダイオード２０からの光が導光板１８の所望の領域を確実に照射するよう構成されている。第１の発光ダイオード２０からの光は導光板１８を通って前面左側端部１８ａを照射し、前面左側端部１８ａにおける粗面において光が拡散される。したがって、第１の発光ダイオード２０が発光しているとき、導光板１８の前面左側端部１８ａのみが他の部位に比べて明るい輝度で赤色に発光する。ただし、このとき、第３の発光ダイオード２２が発光しているため、前面左側端部１８ａ以外の前面１８ｃは薄暗い赤色で発光している。
【００２８】
次に、実施例１のディスク装置における照明部２７における照明動作について説明する。
図５に示すように、照明部２７には、導光板１８の右側端部を照射する第２の発光ダイオード２１及び第３の発光ダイオード２２と、導光板１８の前面左側端部１８ａを照射するよう第１の発光ダイオード２０が配設されている。実施例１のディスク装置が通電されている状態においては、第１の発光ダイオード２０と第３の発光ダイオード２２が同時に赤色に発光するか若しくは、第１の発光ダイオード２０と第３の発光ダイオード２２が消灯しているとき第２の発光ダイオード２１のみが青色に発光するよう設定されている。
【００２９】
実施例１のディスク装置において、オフ状態若しくは待機動作状態では第１の発光ダイオード２０と第３の発光ダイオード２２が発光する。このため、導光板１８の前面左側端部１８ａのみが赤色の明るい輝度で発光するとともに、導光板１８の前面１８ｃにおける他の部分（鏡面部分）は赤色でぼんやりと前面左側端部１８ａの輝度より低い輝度で発光する。これは、第１の発光ダイオード２０からの光が前面左側端部１８ａの粗面（梨地面）おいてのみ拡散されるとともに、第３の発光ダイオード２２からの光が導光板１８の背面１８ｂのローレット加工面において乱反射して前面１８ｃを一様に照射するためである。この結果、導光板１８からの光により表示板１６の印刷記号切抜き部１６ａのみが明るく照射され、その他の印刷記号切抜き部１６ｂ，１６ｃ，１６ｄ，１６ｅ，１６ｆは暗い光で照射される。このように、特定の印刷記号切抜き部１６ａのみが明るく部分照明されるため、表示パネル７においては左端部の機能表示部１３ａのみがその他の機能表示部１３ｂ，１３ｃ，１３ｄ，１３ｅ，１３ｆより強調されて明るく表示される。なお、その他の機能表示部１３ｂ，１３ｃ，１３ｄ，１３ｅ，１３ｆの明るさは、使用者が認識できる程度の輝度を維持しているため、当該ディスク装置を使用している環境が暗い場合であっても、その機能表示を使用者は認識でき当該ディスク装置を操作することが可能である。
【００３０】
実施例１のディスク装置において、オン状態では第２の発光ダイオード２１が青色に発光し、第１の発光ダイオード２０と第３の発光ダイオード２２が消灯している。このため、導光板１８の前面１８ｃが青色の明るい輝度で一様に発光する。この結果、導光板１８からの光により表示板１６の印刷記号切抜き部１６ａ，１６ｂ，１６ｃ，１６ｄ，１６ｅ，１６ｆの全体が青色の光で照射される。このように、印刷記号切抜き部１６ａ，１６ｂ，１６ｃ，１６ｄ，１６ｅ，１６ｆの全体が青色の光で明るく照射されるため、表示パネル７においては機能表示部１３ａ，１３ｂ，１３ｃ，１３ｄ，１３ｅ，１３ｆの全体が明るい青色で表示される。
【００３１】
第２の発光ダイオード２１は導光板１８の右側端部の奥行き方向のほぼ中央部に配置されており、第２の発光ダイオード２１から導光板１８に入る光は第３の発光ダイオード２２からの光より多くなっている。第３の発光ダイオード２２は、導光板１８における右側端部の後方に配置されているため、第２の発光ダイオード２１より拡散範囲が狭くなっている。したがって、第２の発光ダイオード２１が導光板１８を照射しているときには導光板１８が明るく発光し、第３の発光ダイオード２２が導光板１８を照射しているとき導光板１８は暗くなる。
【００３２】
上記のように、実施例１のディスク装置において、導光板１８の前面左側端部１８ａを部分照明で発光させる第１の発光ダイオード２０と、導光板１８の全体を一様に発光させる第３の発光ダイオード２２は、同一色で同期発光する。このとき、前面左側端部１８ａを発光させる第１の発光ダイオード２０からの光は、導光板１８を直進しており、距離が短いため、導光板１８の前面左側端部１８ａを明るく照明する。このため、導光板における前面左側端部１８ａに近い領域は、光漏れの現象が発生する。その対策として、導光板１８の右側端部から第３の発光ダイオード２２による同一色の光源により、導光板１８の前面１８ｃを均一に照射している。このように、第１の発光ダイオード２０より輝度の低い第３の発光ダイオード２２により、導光板１８の前面１８ｃを均一に照射して、導光板１８の前面１８Ｃにおける前面左側端部１８ａに近い領域をぼかすことが可能となる。このようにぼかす明るさは、第３の発光ダイオード２２の輝度調節を行うことにより任意に設定できる。一方、導光板１８の前面１８ｃの全体を一様に明るく発光させるためには、第２の発光ダイオード２１の光源に切り替えて導光板１８を他の色で発色させて表示色の切換えを行うことができる。
【００３３】
上記のように、導光板１８の前面１８ｃに集光された光は、キャビネットフロント部１７に形成された開口１７ａ，１７ｂ，１７ｃ，１７ｄ，１７ｅ，１７ｆ，１７ｇを通過し、その前面に貼付けられている表示板１６に照射される。表示板１６には抜いた文字やマ−クが印刷された印刷記号切抜き部１６ａ，１６ｂ，１６ｃ，１６ｄ，１６ｅ，１６ｆがあり、この部分が照明文字となり表示される。
【００３４】
実施例１のディスク装置において、操作部６の各押しボタンスイッチ１２ａ，１２ｂ，１２ｃ，１２ｄ，１２ｅ，１２ｆは、機能毎のスイッチとなっており、その機能が表示パネル７における機能表示部１３ａ，１３ｂ，１３ｃ，１３ｄ，１３ｅ，１３ｆに表示されている。これらの機能表示部１３ａ，１３ｂ，１３ｃ，１３ｄ，１３ｅ，１３ｆは、表示板１６の印刷記号切抜き部１６ａ，１６ｂ，１６ｃ，１６ｄ，１６ｅ，１６ｆに対応している。実施例１のディスク装置において、電源が入って待機状態の時に、表示パネル７の機能表示部１３ａは明るい赤色で発光し、その他の機能表示部１３ｂ，１３ｃ，１３ｄ，１３ｅ，１３ｆは暗い赤色で発光するよう、第１の発光ダイオード２０及び第３の発光ダイオード２２は当該ディスク装置に設けた制御部により制御されている。次に、例えばディスクが再生される再生状態においては、制御部により第２の発光ダイオード２１を制御して、表示パネル７の全ての機能表示部１３ａ，１３ｂ，１３ｃ，１３ｄ，１３ｅ，１３ｆが青色で明るく発光し、それぞれの押しボタンスイッチ１２ａ，１２ｂ，１２ｃ，１２ｄ，１２ｅ，１２ｆの機能を表示する。
【００３５】
上記のように本発明の表示装置は、実施例１のディスク装置において具体的に説明したように、上下方向の厚みを薄く構成することが可能であり、表示パネルにおいて液晶表示体（ＬＣＤ）並びに操作部の構成を集中的にレイアウトすることができる。この結果、本発明の表示装置においては、小型に構成することが可能となるとともに、液晶表示体（ＬＣＤ）の表示を見ながら操作部の操作を容易に行うことができ、この表示装置を用いた機器の使い易さを向上させることが可能となる。
【００３６】
本発明の表示装置を用いた電子電気機器においては、機器操作時における表示部等の表示色を部分的に切り替えることが可能となり、表示したい部分のみの照明が可能となる優れた表示機能を有する。本発明の表示装置を用いた電子電気機器においては、１つの導光板により全体照明と部分照明を区分することができ、部分照明の範囲は光源である、例えば発光ダイオードの配置スペースと保持ホルダの構成が機器内部に確保することができるのであればある程度自由に設定することができる。
【産業上の利用可能性】
【００３７】
本発明は、機器操作時に表示パネル等の表示色を簡単な構成で部分的に変えることが可能となるため、電気電子機器の分野において汎用性が高く有用な表示装置である。
【図面の簡単な説明】
【００３８】
【図１】本発明に係る実施例１のディスク装置を示す外観斜視図
【図２】実施例１のディスク装置の開閉扉３を開いた状態を示す斜視図
【図３】実施例１のディスク装置における表示パネル７の背面側に設けられた表示装置を操作部６とともに分解して示した斜視図
【図４】図３に示した表示装置の分解斜視図
【図５】表示装置における導光板等を上方から見た平面図
【符号の説明】
【００３９】
１  ディスク
２  キャビネット
３  開閉扉
４  回動部
５  スライド部
６  操作部
７  表示パネル
８  機器カバー
９  ターンテーブル
１０  光ピックアップ
１１  開閉アーム
１６  表示板
１７  キャビネットフロント部
１８  導光板
１９  押さえホルダ
２０  第１の発光ダイオード
２１  第２の発光ダイオード
２２  第３の発光ダイオード
２３  液晶表示体
２４  液晶表示体ホルダ
２５  プリント配線基板
２６  保持ホルダ
【図１】
2006243183.tif 000003
【図２】
2006243183.tif 000004
【図３】
2006243183.tif 000005
【図４】
2006243183.tif 000006
【図５】
2006243183.tif 000007